【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
ユーザ認証を行う認証手段を備え、少なくとも１つの印刷装置と少なくとも１つの印刷端末とに接続された印刷処理装置の印刷処理方法において、
前記印刷端末から受信した少なくとも当該印刷端末の名称とユーザの第１の認証情報とで構成される印刷エントリーを印刷ジョブリストに登録する印刷エントリー登録ステップと、
前記認証手段に入力された第２の認証情報によるユーザ認証が成功したときは、該認証手段による入力受付を禁止するユーザ認証禁止ステップと、
前記入力された第２の認証情報に一致する第１の認証情報を有する印刷エントリーを前記印刷ジョブリストから検索する印刷エントリー検索ステップと、
前記検索された印刷エントリーにより特定される印刷端末から前記認証したユーザの印刷ジョブを受信する印刷ジョブ受信ステップと、
前記受信した印刷ジョブを前記印刷装置へ送信する印刷ジョブ送信ステップと、
前記認証したユーザの印刷ジョブが全て送信されたときは、前記禁止にした認証手段による入力受付を再開させるユーザ認証再開ステップとを備えることを特徴とする印刷処理方法。
【請求項２】
前記印刷ジョブ受信ステップは、前記検索された印刷エントリーにより特定される印刷端末から当該印刷エントリーに属する印刷ジョブ数を受信した後に、前記印刷端末から当該印刷ジョブ数分の前記印刷ジョブを受信することを特徴とする請求項１記載の印刷処理方法。
【請求項３】
前記印刷ジョブ受信ステップは、前記認証手段によるユーザ認証が成功した後に、認証したユーザの前記印刷エントリーを前記印刷端末から受信したときは、当該印刷エントリーが前記印刷ジョブリストに登録された後に、前記印刷端末から当該印刷エントリーに属する前記印刷ジョブを受信することを特徴とする請求項１記載の印刷処理方法。
【請求項４】
前記印刷エントリー登録ステップは、前記印刷端末と前記ユーザとの組合せが重複しない印刷エントリーのみを印刷ジョブリストに登録することを特徴とする請求項１乃至３のいずれか１項に記載の印刷処理方法。
【請求項５】
前記認証手段によって認証したユーザから複数の印刷エントリーが前記印刷ジョブリストに登録されているとき、
前記印刷エントリー検索ステップでは、当該印刷ジョブリストに先に登録された印刷エントリーから順に選択を行い、
前記印刷ジョブ受信ステップは、前記選択された印刷エントリーに属する印刷ジョブを全て受信し、該受信した印刷ジョブが全て前記印刷装置へ送信された後、当該印刷ジョブリストの他に登録されている印刷エントリーに属する印刷ジョブの受信を行うことを特徴とする請求項１乃至４のいずれか１項に記載の印刷処理方法。
【請求項６】
前記認証手段によって、ユーザ情報が登録されているユーザリストに、該認証手段に入力された第２の認証情報に一致するユーザ情報が登録済みであるか否かを判断してユーザ認証を行う認証ステップを更に備えることを特徴とする請求項１乃至５のいずれか１項に記載の印刷処理方法。
【請求項７】
前記印刷エントリー登録ステップは、前記印刷端末から受信した前記第１の認証情報に一致するユーザ情報が前記ユーザリストに登録されている場合にのみ、当該印刷端末から印刷エントリーを受信して前記印刷ジョブリストに登録することを特徴とする請求項６記載の印刷処理方法。
【請求項８】
請求項１乃至７のいずれか１項に記載の印刷処理方法をコンピュータに実行させるためのコンピュータに読み取り可能なプログラム。
【請求項９】
ユーザ認証を行う認証手段を備え、少なくとも１つの印刷装置と少なくとも１つの印刷端末とに接続された印刷処理装置において、
前記印刷端末から受信した少なくとも当該印刷端末の名称とユーザの第１の認証情報とで構成される印刷エントリーを印刷ジョブリストに登録する印刷エントリー登録手段と、
前記認証手段に入力された第２の認証情報に基づいてユーザ認証が成功したときは、該認証手段による入力受付を禁止するユーザ認証禁止手段と、
前記入力された第２の認証情報に一致する第１の認証情報を有する印刷エントリーを前記印刷ジョブリストから検索する印刷エントリー検索手段と、
前記検索された印刷エントリーにより特定される印刷端末から前記認証したユーザの印刷ジョブを受信する印刷ジョブ受信手段と、
前記受信した印刷ジョブを前記印刷装置へ送信する印刷ジョブ送信手段と、
前記認証したユーザの印刷ジョブが全て送信されたときは、前記禁止にした認証手段による入力受付を再開させるユーザ認証再開手段とを備えることを特徴とする印刷処理装置。
【請求項１０】
前記印刷ジョブ受信手段は、前記検索された印刷エントリーにより特定される印刷端末から当該印刷エントリーに属する印刷ジョブ数を受信した後に、前記印刷端末から当該印刷ジョブ数分の前記印刷ジョブを受信することを特徴とする請求項９記載の印刷処理装置。
【請求項１１】
前記印刷ジョブ受信手段は、前記認証手段によるユーザ認証が成功した後に、認証したユーザの前記印刷エントリーを前記印刷端末から受信したときは、当該印刷エントリーが前記印刷ジョブリストに登録された後に、前記印刷端末から当該印刷エントリーに属する前記印刷ジョブを受信することを特徴とする請求項９記載の印刷処理装置。
【請求項１２】
前記印刷エントリー登録手段は、前記印刷端末と前記ユーザとの組合せが重複しない印刷エントリーのみを印刷ジョブリストに登録することを特徴とする請求項９乃至１１のいずれか１項に記載の印刷処理装置。
【請求項１３】
前記認証手段によって認証したユーザから複数の印刷エントリーが前記印刷ジョブリストに登録されているとき、
前記印刷エントリー検索手段は、当該印刷ジョブリストに先に登録された印刷エントリーから順に選択を行い、
前記印刷ジョブ受信手段は、前記選択された印刷エントリーに属する印刷ジョブを全て受信し、該受信した印刷ジョブが全て前記印刷装置へ送信された後、当該印刷ジョブリストの他に登録されている印刷エントリーに属する印刷ジョブの受信を行うことを特徴とする請求項９乃至１２のいずれか１項に記載の印刷処理方法。
【請求項１４】
前記認証手段は、ユーザ情報が登録されているユーザリストに、該認証手段に入力された第２の認証情報と一致するユーザ情報が登録されているか否かを判断してユーザ認証を行うことを特徴とする請求項９乃至１３のいずれか１項に記載の印刷処理装置。
【請求項１５】
前記印刷エントリー登録手段は、前記印刷端末から受信した前記第１の認証情報に一致するユーザ情報が前記ユーザリストに登録されている場合にのみ、当該印刷端末から印刷エントリーを受信して前記印刷ジョブリストに登録することを特徴とする請求項１４記載の印刷処理装置。
【請求項１６】
少なくとも１つの印刷端末から受信した少なくとも当該印刷端末の名称とユーザの第１の認証情報とで構成される印刷エントリーを印刷ジョブリストに登録する印刷エントリー登録ステップと、
前記ユーザから入力された第２の認証情報に基づいてユーザ認証を行うユーザ認証ステップと、
前記ユーザ認証が成功したときは、それ以降のユーザ認証の入力受付を禁止するユーザ認証禁止ステップと、
前記入力された第２の認証情報に一致する第１の認証情報を有する印刷エントリーを前記印刷ジョブリストから検索する印刷エントリー検索ステップと、
前記検索された印刷エントリーにより特定される印刷端末から前記認証したユーザの印刷ジョブを受信する印刷ジョブ受信ステップと、
前記受信した印刷ジョブに基づく印刷を実行する印刷実行ステップと、
前記認証したユーザの印刷ジョブが全て実行されたときは、前記ユーザ認証の入力受付を再開させるユーザ認証再開ステップとを備えることを特徴とする印刷処理方法。
【手続補正２】
【補正対象書類名】明細書
【補正対象項目名】０００８
【補正方法】変更
【補正の内容】
【０００８】
上記目的を達成するために、請求項１記載の印刷処理方法は、ユーザ認証を行う認証手段を備え、少なくとも１つの印刷装置と少なくとも１つの印刷端末とに接続された印刷処理装置の印刷処理方法において、前記印刷端末から受信した少なくとも当該印刷端末の名称とユーザの第１の認証情報とで構成される印刷エントリーを印刷ジョブリストに登録する印刷エントリー登録ステップと、前記認証手段に入力された第２の認証情報によるユーザ認証が成功したときは、該認証手段による入力受付を禁止するユーザ認証禁止ステップと、前記入力された第２の認証情報に一致する第１の認証情報を有する印刷エントリーを前記印刷ジョブリストから検索する印刷エントリー検索ステップと、前記検索された印刷エントリーにより特定される印刷端末から前記認証したユーザの印刷ジョブを受信する印刷ジョブ受信ステップと、前記受信した印刷ジョブを前記印刷装置へ送信する印刷ジョブ送信ステップと、前記認証したユーザの印刷ジョブが全て送信されたときは、前記禁止にした認証手段の入力受付を再開させるユーザ認証再開ステップとを備えることを特徴とする。
【手続補正３】
【補正対象書類名】明細書
【補正対象項目名】０００９
【補正方法】変更
【補正の内容】
【０００９】
上記目的を達成するために、請求項９記載の印刷処理装置は、ユーザ認証を行う認証手段を備え、少なくとも１つの印刷装置と少なくとも１つの印刷端末とに接続された印刷処理装置において、前記印刷端末から受信した少なくとも当該印刷端末の名称とユーザの第１の認証情報とで構成される印刷エントリーを印刷ジョブリストに登録する印刷エントリー登録手段と、前記認証手段に入力された第２の認証情報に基づいてユーザ認証が成功したときは、該認証手段による入力受付を禁止するユーザ認証禁止手段と、前記入力された第２の認証情報に一致する第１の認証情報を有する印刷エントリーを前記印刷ジョブリストから検索する印刷エントリー検索手段と、前記検索された印刷エントリーにより特定される印刷端末から前記認証したユーザの印刷ジョブを受信する印刷ジョブ受信手段と、前記受信した印刷ジョブ前記印刷装置へ送信する印刷ジョブ送信手段と、前記認証したユーザの印刷ジョブが全て送信されたときは、前記禁止にした認証手段の入力受付を再開させるユーザ認証再開手段とを備えることを特徴とする。
【手続補正４】
【補正対象書類名】明細書
【補正対象項目名】００１０
【補正方法】変更
【補正の内容】
【００１０】
上記目的を達成するために、請求項１６記載の印刷処理方法は、少なくとも１つの印刷端末から受信した少なくとも当該印刷端末の名称とユーザの第１の認証情報とで構成される印刷エントリーを印刷ジョブリストに登録する印刷エントリー登録ステップと、前記ユーザから入力された第２の認証情報に基づいてユーザ認証を行うユーザ認証ステップと、前記ユーザ認証が成功したときは、それ以降のユーザ認証のための入力受付を禁止するユーザ認証禁止ステップと、前記入力された第２の認証情報に一致する第１の認証情報を有する印刷エントリーを前記印刷ジョブリストから検索する印刷エントリー検索ステップと、前記検索された印刷エントリーにより特定される印刷端末から前記認証したユーザの印刷ジョブを受信する印刷ジョブ受信ステップと、前記受信した印刷ジョブに基づく印刷を実行する印刷実行ステップと、前記認証したユーザの印刷ジョブが全て実行されたときは、前記ユーザ認証の入力受付を再開させるユーザ認証再開ステップとを備えることを特徴とする。